(57)【要約】【課題】施錠体に対して弁体をがたつくことなく安定的に設け、蓋本体の閉鎖時に弁体による工具差込口の閉鎖が適切に行われるようにする。【解決手段】受枠１の上端開口部に嵌合される蓋本体２の周縁部に工具差込口２１が形成され、その工具差込口２１に近接して蓋本体２の裏面部に揺動自在に吊支される施錠体３を有する。施錠体３は、受枠１の内周の部位に係合する掛金部３１を形成する。又、施錠体３には、工具差込口２１を閉鎖するための弁体４と該弁体を工具差込口２１に向けて付勢するための弾性体５が装備される。弁体４は、互いに平行する２つのスライド軸７を介して施錠体３の上部に設けられ、施錠体３には、２つのスライド軸７，７をその軸方向に移動案内する軸案内路３６，３６が形成される。【選択図】図１
2007217917.tif 000002
【特許請求の範囲】
【請求項１】
受枠の上端開口部に嵌合される蓋本体の周縁部に工具差込口が形成され、その工具差込口に近接して前記蓋本体の裏面部に揺動自在に吊支される施錠体を有し、その施錠体に前記受枠の内周の部位に係合する掛金部が形成される地下構造物用蓋の施錠構造において、
前記施錠体に、前記工具差込口を閉鎖するための弁体と該弁体を工具差込口に向けて付勢するための弾性体が装備され、
前記弁体は、互いに平行する２つのスライド軸を介して施錠体の上部に設けられ、
前記施錠体には、前記弁体を支持する２つのスライド軸をその軸方向に移動案内する軸案内路が形成されることを特徴とする地下構造物用蓋の施錠構造。
【請求項２】
施錠体には弾性体を収容するための空洞部が形成されることを特徴とする請求項１記載の地下構造物用蓋の施錠構造。
【請求項３】
施錠体には２つのスライド軸の間で弾性体を収容する空洞部が形成されると共に、２つのスライド軸を移動案内する軸案内路は、前記空洞部の内壁面に相対向して形成される溝形とされ、前記空洞部内には前記弾性体により支持される受圧板が設けられて該受圧板により２つのスライド軸が連結されることを特徴とする請求項１記載の地下構造物用蓋の施錠構造。
【発明の詳細な説明】
【技術分野】
【０００１】
本発明は、共同溝や下水道管といった地下構造物に通じる地表の開口部分（主に人の出入りが可能とされるマンホール）に設けられる地下構造物用蓋の施錠構造に関する。
【背景技術】
【０００２】
共同溝や下水道管といった地下構造物に通じる地表の開口部分には、開口縁を成す剛性の受枠が設置され、その受枠内に蓋本体が嵌合されて開口部分が閉鎖されるようになっているが、その種の地下構造物用蓋は、部外者や地下構造物内における圧力によって蓋本体が開放されぬよう施錠構造を備えることが一般的である。
【０００３】
係る施錠構造の代表例として、蓋本体の裏面に振子状の施錠体を揺動自在に吊支し、その施錠体に形成される掛金部が施錠体の自重によって受枠の内周の部位に係合するようにしたものが知られる。そして、その種の施錠構造によれば、蓋本体の周縁部に形成される工具差込口にバールなどを差し込むことにより、施錠体を揺動せしめて施錠解除を行い、この状態で蓋本体を引き上げてこれを開放することができる。
【０００４】
ここで、工具差込口が常時開放した状態にあると、そこから地下構造物内に土砂などが流入してしまうために、特許文献１では掛金部（係合突起）を形成する施錠体（施錠鈎）に、工具差込口（開口部）を閉塞する弁体（閉塞板）を、弾性体を介して押圧可能に取り付けている。
【０００５】
又、特許文献２では、弁体（閉塞板）が工具差込口（開口部）を開閉する際に受枠の内周面に当接しないようにするため、施錠体（施錠鉤）に弁体（閉塞板）を誘導する案内面を設けると共に、弁体（閉塞板）にはその降下時に案内面を摺動する凸部を設ける構成としている。
【０００６】
【特許文献１】実公平７−５６３５７号公報
【０００７】
【特許文献２】特許第３６１６９２０号公報
【発明の開示】
【発明が解決しようとする課題】
【０００８】
然し乍ら、特許文献１，２のいずれも弁体が単一の軸を介して施錠体に取り付けられる構成としていることから、弁体の安定性を得難く、その弁体が軸振れによりがたつき、蓋本体の閉鎖時に当該弁体が工具差込口から外れた位置で蓋本体の裏面に押し付けられ、これにより工具差込口が完全に閉鎖されず、雨水や土砂の流入を許容するような空隙が部分的に形成されてしまう虞があった。
【０００９】
又、特許文献１，２では、施錠体の上面と弁体との間に弾性体を介在させていることから、弾性体の腐食、劣化が著しく、早期の部品交換を余儀なくされるという問題がある。
【００１０】
尚、弾性体にゴムを用いたり、特許文献２のように防塵防水用の蛇腹状ブーツにより弾性体を包み込んだりすると、施錠体に弾性体や弁体を組付けた状態では全体に防錆のための鍍金処理を施すことができないという問題がある。
【００１１】
本発明は以上のような事情に鑑みて成されたものであり、その主たる目的は施錠体に対して弁体をがたつくことなく安定的に設け、蓋本体の閉鎖時に弁体による工具差込口の閉鎖が適切に行われるようにすることにある。
【課題を解決するための手段】
【００１２】
本発明は上記目的を達成するため、受枠の上端開口部に嵌合される蓋本体の周縁部に工具差込口が形成され、その工具差込口に近接して前記蓋本体の裏面部に揺動自在に吊支される施錠体を有し、その施錠体に前記受枠の内周の部位に係合する掛金部が形成される地下構造物用蓋の施錠構造において、
前記施錠体に、前記工具差込口を閉鎖するための弁体と該弁体を工具差込口に向けて付勢するための弾性体が装備され、
前記弁体は、互いに平行する２つのスライド軸を介して施錠体の上部に設けられ、
前記施錠体には、前記弁体を支持する２つのスライド軸をその軸方向に移動案内する軸案内路が形成されることを特徴とする。
【００１３】
加えて、施錠体には弾性体を収容するための空洞部が形成されることを特徴とし、更に好ましくは、施錠体には２つのスライド軸の間で弾性体を収容する空洞部が形成されると共に、２つのスライド軸を移動案内する軸案内路は、前記空洞部の内壁面に相対向して形成される溝形とされ、前記空洞部内には前記弾性体により支持される受圧板が設けられて該受圧板により２つのスライド軸が連結されることを特徴とする。
【発明の効果】
【００１４】
本発明によれば、弁体が平行する２つのスライド軸を介して施錠体の上部に設けられると共に、施錠体には２つのスライド軸をその軸方向に移動案内する軸案内路が形成されることから、弁体をがたつかせること無くスライド軸の指向方向に安定的に移動させることができる。このため、蓋本体の閉鎖時に弁体を目標とする工具差込口の位置に合わせて工具差込口を密閉することができ、しかも蓋本体の開放時には工具差込口に差し込まれるバールなどの工具による弁体の押下操作を容易に行うことができる。
【００１５】
又、弁体を工具差込口に向けて付勢するための弾性体が、施錠体内に形成される空洞部に収容されるようにしていることから、弾性体を泥水などから保護してその腐食、劣化を防止することができ、しかも空洞部の内壁により弾性体の湾曲を防止してその伸縮動作を適正に行うことができる。
【００１６】
加えて、２つのスライド軸の間で弾性体が施錠体の空洞部に収容され、その空洞部内に弾性体で支持される受圧板が設けられ、その受圧板により２つのスライド軸が連結されることから、２つのスライド軸を介して弁体を円滑に昇降させることができる。
【００１７】
特に、弾性体が施錠体の空洞部に収容され、その空洞部の内壁面にスライド軸を移動案内する軸案内路が相対向して形成されることから、弾性体を施錠体の外部で弁体と施錠体の間に配置するものに比べ、弁体の降下時においてスライド軸が施錠体の下方に突出せぬようスライド軸の長さを短く設定しながら、当該スライド軸の支持面（軸案内路）の有効長さを大きくとってスライド軸の指向性（弁体の安定性）を上げることができる。
【発明を実施するための最良の形態】
【００１８】
以下、本発明の適用例を図面に基づいて詳細に説明する。先ず、図１は本発明に係る地下構造物用蓋の要部断面を示す。図１において、１は上端にテーパ状の開口部を形成する剛性環状の受枠であり、この受枠１は例えばマンホールの上部開口縁を成すよう地表付近に埋設され、その上面が地表面と一致するようにして地盤に固定される。特に、受枠１の内周部には下方に向けて突出する錠受け１１が一体に形成される。
【００１９】
２は受枠１の上端開口部に嵌合される円形状の蓋本体（マンホール蓋）であり、その周縁には一部分を切り欠いて成る半円状の工具差込口２１が形成され、その裏面には工具差込口２１に近接して錠支持部２２が形成される。
【００２０】
尚、蓋本体２は、工具差込口２１とは反対側の裏面部に装置される図示せぬヒンジ金具により受枠１に開閉自在に連係され、閉蓋時には当該ヒンジ金具に対向する工具差込口２１が錠受け１１の上方に位置するようにしてある。
【００２１】
特に、蓋本体２の裏面には、当該蓋本体２の開放を抑止する施錠構造の主要構成部品としての施錠体３が工具差込口２１に近接して吊支される。施錠体３は鋳物製の塊状構造物で、これには蓋本体２の工具差込口２１を閉鎖するための弁体４、及び該弁体４を工具差込口２１に向けて付勢するための弾性体５（本例において金属製コイルバネ）が装備される。
【００２２】
そして、本発明に係る施錠構造によれば、閉蓋時に工具差込口２１が弁板４により密閉され、開蓋時には図２に示すように工具差込口２１に差し込まれるバールなどの工具６により弁板４が弾性体５の付勢力に抗して押し下げられ、次いで図３のように施錠体３の揺動が行われて該施錠体に形成される掛金部３１が錠受け１１から離隔するようになっている。
【００２３】
図４〜図７により施錠体の構造を詳しく説明すると、係る施錠体３は、上記のように受枠１の錠受け１１に対応する掛金部を有しており、その掛金部３１は受枠１の内周面側に向けられる背面下部より斜め上方に突出される。又、施錠体３の左右両側面部には上方に向けて延びる左右一対の腕部３２，３２が形成され、その両腕部３２，３２の上端から左右外方に向けて揺動支点と成す円柱状の枢軸部３３，３３が突出される。
【００２４】
更に、一対の腕部３２，３２の間で施錠体３の上面には、背面側に向けて斜めに立ち上がる左右一対の三角形状を成す突起部３４，３４が形成される。そして、その両突起部３４，３４の斜面３４Ａ，３４Ａが工具により押圧されることで施錠体３の揺動が行われるようになっているが、その詳細については後述する。
【００２５】
ここで、本例の施錠体３によれば、中心部に円筒状の空洞部３５が形成されると共に、該空洞部３５の内壁面には凹字断面を有する溝形の軸案内路３６，３６が相対向して形成される。図７から明らかなように、空洞部３５は底面部３７を有する縦長の形態で、その上部は腕部３２，３２の間で開口される。一方、軸案内路３６は空洞部３５の長さ方向に延びる直線状の形態であり、その両端は上下方向に開放される。
【００２６】
次に、弁体の構造を説明すると、同弁体４は、図８のように鍔部４１と隆起部４２とを有する二段構造の板材であり、その隆起部４２は蓋本体２の工具差込口２１と同形とされる。尚、係る弁体４はその全幅が施錠体３の両腕部３２，３２の間隔よりも小さくされ、これにより弁体４が両腕部３２，３２の間で上下方向に移動可能とされる。
【００２７】
特に、弁体４は、２つのスライド軸７，７の一端に固着され、そのスライド軸７，７が互いに平行して弁体４の裏面両側から下方に延長するようにしてある。スライド軸７，７は角柱状の形態であり、その両者間には円盤状の受圧板８が固設され、その受圧板８によりスライド軸７，７が連結される構成としてある。尚、受圧板８は円盤状以外の形態でもよく、要は空洞部３５内において受圧板８が弾性体５で支持されながら軸案内路３６に沿って移動可能とされていればよい。又、弁体４とスライド軸７と受圧板８は別部品を一体的に連結してもよいし、それらを鋳造などにより一体成型してもよい。
【００２８】
そして、以上のような２脚式の弁体４は、図９のようにその脚部を成す２つのスライド軸７，７を施錠体３に形成した軸案内路３６，３６に嵌入せしめることにより施錠体３と組み合わされる。尚、スライド軸７，７は軸案内路３６，３６に沿って摺動されるのであり、このため弁体４はスライド軸７，７で支持されたまま該スライド軸の指向方向に移動することができる。
【００２９】
又、スライド軸７，７の間には受圧板８の下方で弾性体５が配置され、その弾性体５が施錠体３の空洞部３５に収容される。そして、施錠体３の上面にはビスにてチップ板９が固定され、そのチップ板９により空洞部３５の上端開口部分が閉鎖され、その空洞部３５内において受圧板８が弾性体５で弾性的に支持されるようになっている。尚、チップ板９は空洞部３５内に汚水や塵埃が侵入するのを防止するほか、スライド軸７，７の抜止めとしての役割を果たす。
【００３０】
ここに、弁体４の上面を押圧したとき、その圧力がスライド軸７，７から受圧板８を通じて弾性体５に与えられ、これにより弾性体５が縮小されつつ弁体４が降下する一方、弁体４に対する押圧力を解除したときには、受圧板８が弾性体５に押されてスライド軸７，７が弁体４側に摺動し、これによって弁体４の上昇移動が行われるようになっている。
【００３１】
次に、図１０および図１１に蓋本体の構造を説明すると、蓋本体２の裏面には工具差込口２１を挟む一対の側壁２２Ａ，２２Ａを設けて施錠体３を吊支する上記錠支持部２２が形成される。両側壁２２Ａ，２２Ａの内側面にはそれぞれ一端が閉じられた凹溝２２Ｂ，２２Ｂが形成され、該凹溝２２Ｂ，２２Ｂの閉鎖端が施錠体の枢軸部３３を回転自在に支持する軸受部２２Ｃ，２２Ｃとされる。そして、凹溝２２Ｂ，２２Ｂには軸受部２２Ｃ，２２Ｃに隣接してストッパ２２Ｄ，２２Ｄ（図示例においてボルト）が取り付けられ、そのストッパ２２Ｄ，２２Ｄにより枢軸部３３，３３が軸受部２２Ｃ，２２Ｃに位置決めされるようにしてある。
【００３２】
ここで、本発明の作用を説明する。先ず、蓋本体を開放する場合には、図１〜図２のように、工具６の先端部を工具差込口２１に差し込み、これによって弁体４の上面を押圧する。すると、弁体４は弾性体５の弾力に抗して押し下げられるが、弁体４は２つのスライド軸７，７により支持されているために、弁体４が前後左右にがたつくことはなく、その押下操作を容易に行うことができる。尚、工具６は先端部がＴ字形をしたバールであり、弁体４を押し下げた後には該工具を９０度回転させるような操作が行われる。
【００３３】
すると、Ｔ字部分の両端が工具差込口２１の両側縁に当接する一方、該工具６の先端部で施錠体３の突起部３４の斜面３４Ａが押圧され、これにより施錠体３が図３のように枢軸部３３を中心として蓋本体２の中心側に上方揺動することとなる。この結果、掛金部３１が錠受け１１より離隔して蓋本体２の施錠が解除されるために蓋本体２の開放が可能とされる。
【００３４】
一方、上記のようにして蓋本体２の開放を行った後、その蓋本体２を再び受枠１の上端開口部に嵌合し、次いで工具差込口２１より工具６を抜き取ると、弁体４に対する押圧力が無くなるために弾性体５が復元しながら弁板４を工具差込口２１に向けて付勢する。これにより、弁体４は２つのスライド軸７で支持されたまま前後左右に位置ずれせずして工具差込口２１に向けて上昇し、最終的には弁体４の隆起部４２が工具差込口２１内に嵌まり込み、工具差込口２１の周縁には弁体４の鍔部４１が密着し、しかして工具差込口２１が密閉される。従って、工具差込口２１より雨水や土砂が地下構造物内に流入するのを防止できる。  
【００３５】
又、工具差込口２１から工具６が抜き取られる前段において、施錠体３はその自重により掛金部３１側に揺動して該掛金部３１が受枠１の錠受け１１と対応する位置まで復帰されることになる。従って、その状態では地下構造物内の圧力上昇による蓋本体２の開放や部外者による蓋本体２の開放を阻止することができる。
【００３６】
以上、本発明について説明したが、係る地下構造物用蓋の施錠構造は上記例に限定されるものでなく、例えば弾性体５として金属製のコイルバネほか、ゴムなどを利用することもできる。
【００３７】
又、上記例では弾性体５を２つのスライド軸７，７の間で施錠体３の空洞部３５に収容する構成としたが、図１２のように軸案内路として施錠体に２つの孔３６Ａ，３６Ａを穿設すると共に、その孔３６Ａ，３６Ａの内径を部分的に拡げて空洞部３５Ａ，３５Ａとし、その空洞部３５Ａ，３５Ａ内に弾性体５，５を個別に収容するようにしてもよい。尚、図１２の例では受圧板８がスライド軸７の外周部に個別に固着される。
【００３８】
一方、弾性体５を施錠体３内に収容するのでなく、施錠体３の上面と弁体４との間において、弾性体５をスライド軸７，７の間や、スライド軸７，７の外周に設けるようにしてもよい。
【図面の簡単な説明】
【００３９】
【図１】発明に係る地下構造物用蓋の施錠構造を示す要部断面図
【図２】弁体を押し下げた状態を示す説明図
【図３】施錠体による施錠が解除された状態を示す説明図
【図４】施錠体を背面側からみた斜視図
【図５】施錠体を正面側からみた斜視図
【図６】施錠体の平面図
【図７】図６におけるＸ−Ｘ断面図
【図８】弁体を示す斜視図
【図９】構成部品の斜視分解図
【図１０】蓋本体の一部を示す底面図
【図１１】図１０のＹ−Ｙ拡大断面図
【図１２】本発明の変更例を示す説明図
【符号の説明】
【００４０】
１  受枠
１１  錠受け
２  蓋本体
２１  工具差込口
２２  錠支持部
３  施錠体
３１  掛金部
３３  枢軸部
３５  空洞部
３６  軸案内路
４  弁体
５  弾性体
７  スライド軸
８  受圧板
【図１】
2007217917.tif 000003
【図２】
2007217917.tif 000004
【図３】
2007217917.tif 000005
【図４】
2007217917.tif 000006
【図５】
2007217917.tif 000007
【図６】
2007217917.tif 000008
【図７】
2007217917.tif 000009
【図８】
2007217917.tif 000010
【図９】
2007217917.tif 000011
【図１０】
2007217917.tif 000012
【図１１】
2007217917.tif 000013
【図１２】
2007217917.tif 000014